(57)【要約】  本発明の無線通信端末は、近距離無線通信部と、データ記憶部と、データ記憶部に記憶されたデータを他の無線通信端末と近距離無線通信により送受信するデータ送受信部と、近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を備え、上記データ送受信部は、近距離無線通信の範囲内の他の無線通信端末のうち、伝送方向側端末特定情報にて特定される伝送方向側無線通信端末のみに対して、自端末のデータ記憶部に記憶されているデータを近距離無線通信にて伝送する。
2016084276.tif 000002
【特許請求の範囲】
【請求項１】
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を備え、
前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
無線通信端末。
【請求項２】
請求項１に記載の無線通信端末であって、
前記データ送受信部は、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
無線通信端末。
【請求項３】
請求項２に記載の無線通信端末であって、
前記データ送受信部は、近距離無線通信の範囲内の前記伝送方向側無線通信端末のみと相互に無線通信して、自端末の前記データ記憶部に記憶されているデータのリストと前記伝送方向側無線通信端末に記憶されているデータのリストとを送受信して比較し、前記リストに基づいて自端末の前記データ記憶部に記憶されているデータのうち前記伝送方向側無線通信端末に記憶されていないデータを、当該伝送方向側無線通信端末に伝送する、
無線通信端末。
【請求項４】
請求項１乃至３のいずれかに記載の無線通信端末であって、
前記データ送受信部は、エピデミックルーティングによりデータ伝送を行う際に、前記伝送方向側無線通信端末のみに対して自端末の前記データ記憶部に記憶されているデータを近距離無線通信にて伝送する、
無線通信端末。
【請求項５】
請求項１乃至４のいずれかに記載の無線通信端末であって、
特定の無線通信端末から発信され伝播された伝播情報を近距離無線通信の範囲内の他の無線通信端末から受信したときに、当該他の無線通信端末を、前記経路上において自端末のデータ伝送方向側に隣接して位置する前記伝送方向側無線通信端末として特定し、当該伝送方向側無線通信端末を特定する情報である前記伝送方向側端末特定情報を前記端末特定情報記憶部に記憶する端末特定情報処理部を備えた、
無線通信端末。
【請求項６】
請求項５に記載の無線通信端末であって、
前記端末特定情報処理部は、前記特定の無線通信端末から伝播された前記伝播情報を、近距離無線通信の範囲内の複数の他の無線通信端末から受信したときに、当該複数の他の無線通信端末のうち１つの他の無線通信端末のみを前記伝送方向側無線通信端末として特定し、当該伝送方向側無線通信端末を特定する前記伝送方向側端末特定情報を前記端末特定情報記憶部に記憶する、
無線通信端末。
【請求項７】
請求項５に記載の無線通信端末であって、
前記端末特定情報処理部は、前記特定の無線通信端末から同一の機会に発信されて伝播された前記伝播情報を、近距離無線通信の範囲内の複数の他の無線通信端末から受信したときに、当該複数の他の無線通信端末のうち予め設定された基準に基づいて決定された１つの他の無線通信端末のみを前記伝送方向側無線通信端末として特定し、当該伝送方向側無線通信端末を特定する前記伝送方向側端末特定情報を前記端末特定情報記憶部に記憶する、
無線通信端末。
【請求項８】
請求項７に記載の無線通信端末であって、
前記端末特定情報処理部は、受信した前記伝播情報が、前記端末特定情報記憶部に記憶されている前記伝送方向側端末特定情報を記憶する契機となった前記伝播情報の発信機会よりも後の機会に前記特定の無線通信端末から発信されて伝播された伝播情報である場合に、当該伝播情報を受信した他の無線通信端末を前記伝送方向側無線通信端末として特定し、当該伝送方向側無線通信端末を特定する前記伝送方向側端末特定情報を前記端末特定情報記憶部に更新して記憶する、
無線通信端末。
【請求項９】
請求項５乃至８のいずれかに記載の無線通信端末であって、
前記端末特定情報受信部は、前記特定の無線通信端末から伝播された前記伝播情報を近距離無線通信の範囲内の他の無線通信端末から受信したときに、当該伝播情報を当該近距離無線通信の範囲内のさらに他の無線通信端末にエピデミックルーティングにより伝播するよう送信する、
無線通信端末。
【請求項１０】
請求項１乃至９のいずれかに記載の無線通信端末であって、
少なくとも前記データ送受信部を含む起動対象構成を、他の無線通信端末に装備された前記起動対象構成の起動と同時期に起動してデータ送受信を行うよう作動させる起動制御部を備えた、
無線通信端末。
【請求項１１】
請求項１乃至１０のいずれかに記載の無線通信端末であって、
前記起動対象構成は、他の無線通信端末とデータの送受信を行い、当該送受信されたデータが自端末あるいは他の無線通信端末に記憶されたことを確認する処理を実行する構成を含む、
無線通信端末。
【請求項１２】
請求項１乃至１１のいずれかに記載の無線通信端末を搭載した車両。
【請求項１３】
近距離無線通信の範囲内で他の無線通信端末と相互に近距離無線通信を行う近距離無線通信部と、所定のデータを記憶するデータ記憶部と、を備えた無線通信端末の制御装置に、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を実現させ、
さらに、前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
ことを実現させるためのプログラム。
【請求項１４】
請求項１３に記載のプログラムであって、
前記データ送受信部は、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
プログラム。
【請求項１５】
請求項１３又は１４に記載のプログラムであって、
前記制御装置に、さらに、
特定の無線通信端末から発信され伝播された伝播情報を近距離無線通信の範囲内の他の無線通信端末から受信したときに、当該他の無線通信端末を、前記経路上において自端末のデータ伝送方向側に隣接して位置する前記伝送方向側無線通信端末として特定し、当該伝送方向側無線通信端末を特定する情報である前記伝送方向側端末特定情報を前記端末特定情報記憶部に記憶する端末特定情報処理部、
を実現させるためのプログラム。
【請求項１６】
近距離無線通信の範囲内で他の無線通信端末と相互に近距離無線通信を行う近距離無線通信部と、所定のデータを記憶するデータ記憶部と、を備えた無線通信端末が、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶しており、
前記無線通信端末が、前記データ記憶部に記憶されたデータを他の無線通信端末と近距離無線通信により送受信するよう構成されており、
さらに、前記無線通信端末が、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送する、
情報処理方法。
【請求項１７】
請求項１６に記載の情報処理方法であって、
前記無線通信端末が、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
情報処理方法。
【請求項１８】
請求項１６又は１７に記載の情報処理方法であって、
前記無線通信端末が、特定の無線通信端末から発信され伝播された伝播情報を近距離無線通信の範囲内の他の無線通信端末から受信したときに、当該他の無線通信端末を、前記経路上において自端末のデータ伝送方向側に隣接して位置する前記伝送方向側無線通信端末として特定し、当該伝送方向側無線通信端末を特定する情報である前記伝送方向側端末特定情報を前記端末特定情報記憶部に記憶する、
情報処理方法。
【発明の詳細な説明】
【技術分野】
【０００１】
本発明は、移動可能な無線通信端末に関する。
【背景技術】
【０００２】
近年、無線通信技術の発達に伴い、あらゆる場面で移動可能な無線通信端末が利用されている。これら無線通信端末は、互いに継続的なネットワーク接続が不可能な移動環境においても、信頼性の高いデータ転送が必要とされることがある。そのようなネットワーク制御方式として、遅延耐性ネットワーク（ＤＴＮ（Ｄｅｌａｙ／Ｄｉｓｒｕｐｔｉｏｎ−Ｔｏｌｅｒａｎｔ  Ｎｅｔｗｏｒｋ））が知られている。ＤＴＮは、転送するデータを各通信端末で蓄積しながら、他の通信端末にデータを中継伝送していく方式である。【０００３】
ＤＴＮにおける１つのデータ転送方式として、例えば特許文献１に開示されている、エピデミックルーティング（Ｅｐｉｄｅｍｉｃ  Ｒｏｕｔｉｎｇ）がある。エピデミックルーティングは、通信端末が他の端末と無線通信にて接続されたときに、互いのデータの保有情報に基づいて、差分のデータを補完しながら、データを伝播させていくデータ転送方式である。【０００４】
ここで、エピデミックルーティングのデータ転送方式の具体例を、図１を参照して説明する。図１（Ａ）では、エピデミックルーティングのＰｕｌｌ型のデータ転送方式を示している。【０００５】
まず、無線通信端末Ａ，Ｂが、相互に近距離無線通信の範囲に位置することにより接続されると、自端末が記憶しているデータであるコンテンツのリスト（保有情報）であるサマリーベクター（Ｓｕｍｍａｒｙ  Ｖｅｃｔｏｒ）を含むメッセージ（以下、「ＳＶＭ」（Ｓｕｍｍａｒｙ  Ｖｅｃｔｏｒ  Ｍｅｓｓａｇｅ））を交換する（ステップＳ１）。これにより、各端末Ａ，Ｂは、自端末は保有していないが相手端末が保有しているデータを把握することができる。すると、図１（Ａ）の例では、端末Ｂは、ＳＶＭに基づいて、端末Ａは保有しているが自端末Ｂは保有していないデータを、端末Ａにリクエストする（ステップＳ２）。このリクエストに応じて、端末Ａは、自端末Ａが保有しているデータであるコンテンツを端末Ｂに送信する（ステップＳ３）。これにより、端末Ｂは、端末Ａが保有しているデータを保有することができ、当該端末Ａと相互にデータの同期をとることができる。【０００６】
また、図１（Ｂ）では、エピデミックルーティングのＰｕｓｈ型のデータ転送方式を示している。まず、端末Ａ，Ｂが、相互に近距離無線通信の範囲に位置することにより接続されると、上述同様にＳＶＭを交換する（ステップＳ１１）。このとき、端末Ａは保有しているが端末Ｂは保有していないデータが存在することとする。すると、端末Ａは、ＳＶＭに基づいて、端末Ｂは保有していないデータを当該端末Ｂに送信する（ステップＳ１２）。つまり、このＰｕｓｈ型では、上述したＰｕｌｌ型とは異なり、端末Ｂからリクエストがなくても、端末Ａが端末Ｂにデータを送信する。これにより、端末Ｂは、端末Ａが保有しているデータを保有することができ、当該端末Ａと相互にデータの同期をとることができる。【０００７】
そして、上述したエピデミックルーティングは、無線通信端末が自由に移動しうる環境下では、無線ネットワークの設定としてアドホックモードで用いることが望ましい。アドホックモードでは、無線通信端末は、アクセスポイントが存在しなくても近距離無線通信を用いてピアツーピア型のリンクを構成可能であり、かつ、アソシエーション確立が不要であって、セッション確立が高速であるためである。【０００８】
このように、アドホックモードにてエピデミックルーティングを用いることにより、移動している無線通信端末間で、データを蓄積しながら近距離無線通信にて中継伝送することができ、遠くはなれた端末にもデータを伝送可能となる。例えば、図２に示すように、移動しうる携帯電話端末Ａ１−Ａ６といった無線通信端末が存在する状況においても、当該図２の矢印に示すように、近距離無線通信にて近隣の他の無線通信端末にデータを伝送していくことできる。これにより、例えば、近距離無線通信では直接通信することが不可能な端末Ａ１と端末Ａ６であっても、他の端末Ａ２−Ａ４を中継伝送して、いずれはデータを同期させることが可能となる。
【先行技術文献】
【特許文献】
【０００９】
【特許文献１】国際公開第２０１４／０６１３１４号
【発明の概要】
【発明が解決しようとする課題】
【００１０】
しかしながら、上述したようなアドホックモードにてエピデミックルーティングを用いたデータ伝送方式においては、以下のような問題が生じる。まず、上述した環境においては、対象となるすべての無線通信端末にデータを伝送していくため、端末数が多い場合には、各端末に記憶されたすべてのデータが伝送対象となり、結果として、ネットワーク内に大量のデータが伝送されうる。すると、ネットワーク内のトラフィック量が増加し、データ伝送効率の低下、という問題が生じる。【００１１】
また、データの伝送を必要としない無線通信端末が存在する場合もある。この場合には、無駄な無線通信が発生し、上述同様にデータ伝送効率の低下、という問題が生じる。【００１２】
そして、エピデミックルーティングを用いたデータ伝送方式に限らず、無線通信端末において近距離無線通信の範囲内の他の端末に対してデータを伝送して伝播させる場合には、上述した問題は生じうる。【００１３】
このため、本発明の目的は、上述した課題である、データ伝送効率の低下、という問題を解決することができる、無線通信端末を提供することにある。
【課題を解決するための手段】
【００１４】
本発明の一形態である無線通信端末は、
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を備え、
前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
という構成をとる。【００１５】
また、本発明の他の形態であるプログラムは、
近距離無線通信の範囲内で他の無線通信端末と相互に近距離無線通信を行う近距離無線通信部と、所定のデータを記憶するデータ記憶部と、を備えた無線通信端末の制御装置に、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を実現させ、
さらに、前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
という構成をとる。【００１６】
また、本発明の他の形態である情報処理方法は、
近距離無線通信の範囲内で他の無線通信端末と相互に近距離無線通信を行う近距離無線通信部と、所定のデータを記憶するデータ記憶部と、を備えた無線通信端末が、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶しており、
前記無線通信端末が、前記データ記憶部に記憶されたデータを他の無線通信端末と近距離無線通信により送受信するよう構成されており、
さらに、前記無線通信端末が、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送する、
という構成をとる。
【発明の効果】
【００１７】
本発明は、以上のように構成されることにより、無線通信端末によるデータ伝送効率の向上を図ることができる。
【図面の簡単な説明】
【００１８】
【図１】エピデミックルーティングによるデータ伝送方式を説明するための図である。
【図２】エピデミックルーティングによるデータ伝送の様子を示す図である。
【図３】本発明の実施形態１における無線通信端末の構成を示す機能ブロック図である。
【図４】図３に開示した無線通信端末によるデータ伝送経路の設定の様子を示す図である。
【図５】図３に開示した無線通信端末によるデータ伝送経路の設定の様子を示す図である。
【図６】図３に開示した無線通信端末によるデータ伝送経路の設定の様子を示す図である。
【図７】図３に開示した無線通信端末のデータ伝送経路設定時の動作を示すフローチャートである。
【図８】図３に開示した無線通信端末間におけるデータ伝送経路設定時の動作を示すシーケンス図である。
【図９】図３に開示した無線通信端末によるデータ伝送の様子を示す図である。
【図１０】図３に開示した無線通信端末のデータ伝送時の動作を示すフローチャートである。
【図１１】図３に開示した無線通信端末間におけるデータ伝送時の動作を示すシーケンス図である。
【図１２】本発明の実施形態２における無線通信端末の構成を示す機能ブロック図である。
【図１３】本発明の実施形態３における無線通信端末の構成を示す機能ブロック図である。
【図１４】本発明の実施形態４における無線通信システムの構成を示す図である。
【図１５】本発明の付記１における無線通信端末の構成を示す機能ブロック図である。
【発明を実施するための形態】
【００１９】
＜実施形態１＞
本発明の第１の実施形態を、図３乃至図１１を参照して説明する。図３は、無線通信端末の構成を示すブロック図である。図４乃至図８は、無線通信端末によるデータ伝送経路の設定の様子を説明するための図である。図９乃至図１１は、無線通信端末によるデータ伝送の様子を説明するための図である。
【００２０】
本実施形態における無線通信端末Ａは、例えば、携帯電話端末といった移動可能な情報処理装置である。そして、他の無線通信端末も同様の構成をとっている。なお、本発明における無線通信端末Ａは、携帯電話端末であることに限定されず、いかなる情報処理装置であってもよい。また、無線通信端末Ａは、単体で利用される情報処理装置であってもよく、他の装置と連動したり、他の装置に組み込まれることで利用される情報処理装置であってもよい。
【００２１】
［構成］
図３に示すように、本実施形態における無線通信端末Ａは、まず、近距離無線通信の範囲内で他の無線通信端末と相互に近距離無線通信を行う近距離無線通信部１０を備えている。ここで、近距離無線通信部１０によって実現される近距離無線通信は、携帯基地局と行う無線通信とは異なり、Ｗｉ−Ｆｉ（Ｗｉｒｅｌｅｓｓ  Ｆｉｄｅｌｉｔｙ）や、Ｂｌｕｅｔｏｏｔｈ（登録商標）といった無線通信規格により、無線通信端末間で行う無線通信である。なお、近距離無線通信は、いかなる規格で行うものであってもよい。
【００２２】
また、無線通信端末Ａは、ＣＰＵ（Ｃｅｎｔｒａｌ  Ｐｒｏｃｅｓｓｉｎｇ  Ｕｎｉｔ）といった演算装置と、ＳＳＤ（Ｓｏｌｉｄ  Ｓｔａｔｅ  Ｄｒｉｖｅ）などの記憶装置を備えている。そして、無線通信端末Ａは、図３に示すように、演算装置にプログラムが組み込まれることで構築された、データ生成部１１、ＳＶＭ送受信部１３、データ送受信部１４、収集端末情報生成部２１、を備えている。また、無線通信端末Ａは、記憶装置に形成されたデータ記憶部１２、伝送方向側端末記憶部２２、を備えている。
【００２３】
上記データ生成部１１は、無線通信端末Ａの状況に基づくデータや、当該端末Ａに入力された情報に基づくデータを生成して、データ記憶部１２に記憶する。例えば、データ生成部１１で生成されるデータは、無線通信端末Ａに装備されたＧＰＳ（Ｇｌｏｂａｌ  Ｐｏｓｉｔｉｏｎｉｎｇ  Ｓｙｓｔｅｍ）で取得した位置情報に基づく移動履歴や、当該端末Ａに接続された所定のセンサで測定されたデータ、さらには、当該端末Ａが搭載された装置の稼働状況を表す情報である。そして、データ生成部１１で生成されたデータは、所定の単位、例えば、生成された日単位で、一つのコンテンツデータとして区別されて、データ記憶部１２に記憶される。
【００２４】
上記ＳＶＭ送受信部１３とデータ送受信部１４は、恊働して、上述したエピデミックルーティングを用いて他の無線通信端末Ｂとデータの送受信を行う、データ送受信部として機能する。なお、データ送受信部として機能する際のＳＶＭ送受信部１３の構成については後述するが、エピデミックルーティングの際に、ＳＶＭ送受信部１３は、データ記憶部１２に記憶されているデータのリストであるサマリーベクター（Ｓｕｍｍａｒｙ  Ｖｅｃｔｏｒ）を含むメッセージ（以下、「ＳＶＭ」（Ｓｕｍｍａｒｙ  Ｖｅｃｔｏｒ  Ｍｅｓｓａｇｅ））を、近距離無線通信の範囲内の他の無線通信端末に送信する。
【００２５】
また、ＳＶＭ送受信部１３は、データの送受信とは関係なく、後述する伝播情報をＳＶＭとして、エピデミックルーティングにより近距離無線通信の範囲内の他の無線通信装置と送受信を行う伝播情報送受信部（端末特定情報処理部）として機能する。なお、伝播情報の送受信は、必ずしもエピデミックルーティングで行う必要はなく、他の方法で送受信してもよい。
【００２６】
ここで、上記ＳＶＭ送受信部１３が、伝播情報送受信部として機能する場合を説明する。まず、無線通信端末Ａが、各無線通信端末が保有するデータを収集する「収集端末」として設定されている場合には、収集端末情報生成部２１が、無線通信端末Ａが収集端末であることを表す情報である収集端末情報を生成する。そして、収集端末情報生成部２１は、伝播情報を発信する機会を特定する発信機会情報（例えば、時刻やバージョン情報、又はシーケンス番号）を生成して、収集端末情報と共にＳＶＭ送受信部１３に渡す。すると、ＳＶＭ送受信部１３は、収集端末情報と発信機会情報とを含めたＳＶＭを、伝播情報として、近距離無線通信の範囲内に位置する他の無線通信端末に送信する。
【００２７】
例えば、図４の符号Ａ１（斜線参考）に示す無線通信端末が収集端末として設定されている場合には、当該無線通信端末Ａ１に装備されているＳＶＭ送受信部１３は、収集端末情報をＳＶＭに含めて、図４の矢印に示すように、近距離無線通信の範囲内に位置する他の無線通信端末（Ａ２等）に送信する。なお、上記収集端末情報生成部２１は、ＳＶＭ送受信部１３がＳＶＭを発信する毎に、上記発信機会情報を新たに生成して収集端末情報と共に伝播情報としてのＳＶＭに含める。但し、伝播情報としてのＳＶＭは、必ずしも収集端末情報や発信機会情報が含まれている必要はなく、伝播情報であることがわかる情報であればよい。
【００２８】
また、ＳＶＭ送受信部１３が、他の無線通信端末からＳＶＭを受信し、当該ＳＶＭに収集端末情報が含まれている場合には、当該ＳＶＭを伝播情報として扱う。そして、ＳＶＭ送受信部１３は、受信した伝播情報であるＳＶＭを送信してきた他の無線通信端末を、後述するデータ伝送経路上において、自端末のデータ伝送方向に隣接して位置する伝送方向側端末（伝送方向側無線通信端末）として特定する。
【００２９】
そして、ＳＶＭ送受信部１３は、伝送方向側端末を特定する情報である伝送方向側端末情報（伝送方向側端末特定情報）を、伝送方向側端末記憶部２２に記憶する。例えば、ＳＶＭ送受信部１３は、他の無線通信端末から送信された伝播情報であるＳＶＭに含まれていた、当該他の無線通信端末に予め付与された端末識別情報を、伝送方向側端末情報として伝送方向側端末記憶部２２（端末特定情報記憶部）に記憶する。一例として、図２の符号Ａ２に示す無線通信端末が、符号Ａ１の無線通信端末から伝播情報を受信した場合には、当該無線通信端末Ａ１の識別情報（ここでは、「Ａ１」とする）を、伝送方向側端末情報として記憶する。
【００３０】
また、ＳＶＭ送受信部１３は、上述したように伝播情報としてのＳＶＭを受信した後に、当該伝播情報をＳＶＭとして、さらに近距離無線通信の範囲の他の無線通信端末に送信する。このとき、ＳＶＭ送受信部１３は、伝播情報であるＳＶＭに、送信元となる自端末の識別情報を含めて送信する。
【００３１】
以上のように、ＳＶＭ送受信部１３で伝播情報としてのＳＶＭを送受信することで、各無線通信端末は、当該ＳＶＭを直接受信した送信元となる他の無線通信端末を、伝送方向側端末として記憶することとなる。例えば、図４に示すように、端末Ａ１−Ａ２−Ａ３−Ａ５の順番で伝播情報が伝播していった場合には、図５の点線で示すように、端末Ａ２はＡ１を、端末Ａ３はＡ２を、端末Ａ５はＡ３を、それぞれ伝送方向側端末として記憶する。そして、各無線通信端末が伝送方向側端末を記憶することで、当該伝送方向側端末をたどった経路、つまり、収集端末Ａ１から伝播情報が伝播された経路とは逆の経路が、データ伝送経路として設定されることとなる。例えば、図５の例では、矢印Ｒ１及びＲ２に示すように、端末Ａ５−Ａ３−Ａ２−Ａ１という経路や、端末Ａ４−Ａ２−Ａ１というデータ伝送経路が設定される。なお、各無線通信端末から収集端末に向かう方向が、データ伝送方向となる。
【００３２】
ここで、ＳＶＭ送受信部１３は、既に自端末の伝送方向側端末記憶部２２に伝送方向側端末情報が記憶されている状況で、新たな伝播情報としてのＳＶＭを受信したときには、以下のように作動する。まず、伝播情報としてのＳＶＭには収集端末情報が含まれているため、ＳＶＭ送受信部１３は、ＳＶＭを受信した際に、その送信元となる伝送方向側端末情報と共に、その伝播元となる収集端末情報も関連付けて、伝送方向側端末記憶部２２に記憶しておく。そして、ＳＶＭ送受信部１３は、新たに受信したＳＶＭに、既に記憶している伝送方向側端末情報に関連付けられた収集端末情報とは異なる新たな収集端末情報が含まれている場合には、この新たなＳＶＭの送信元となる無線通信端末の情報も、別途、新たな伝送方向側端末情報として、新たな収集端末情報と関連づけて記憶する。つまり、ＳＶＭ送受信部１３は、伝播情報を発信した収集端末毎に、当該伝播情報が伝播してきた際の伝送方向側端末の伝送方向側端末情報を、それぞれ記憶する。
【００３３】
また、ＳＶＭ送受信部１３は、伝播情報としてのＳＶＭには収集端末情報と共に上述した発信機会情報が含まれているため、ＳＶＭを受信した際に、伝送方向側端末情報と共に、発信機会情報も関連付けて記憶しておく。そして、ＳＶＭ送受信部１３は、既に記憶されている伝送方向側端末情報に関連付けられた収集端末と同じ収集端末から伝搬された新たな伝播情報としてのＳＶＭを受信した場合には、記憶している発信機会情報と、受信したＳＶＭに含まれる発信機会情報と、を比較する。比較の結果、同一の発信機会情報である場合には、既に記憶している伝送方向側端末情報をそのまま伝送方向側端末記憶部２２に残し、新たに受信したＳＶＭの送信元となる無線通信端末は伝送方向側端末とは判断せずにその情報は記憶しない。
【００３４】
上述したＳＶＭ受信時の一例を、図５及び図６を参照して説明する。まず、図５の例では、無線通信端末Ａ２から、伝播情報としてのＳＶＭが他の無線通信端末Ａ３及びＡ４に伝搬して、当該無線通信端末Ａ３及びＡ４がそれぞれ無線通信端末Ａ２を伝送方向側端末として記憶している。この状況で、その後に無線通信端末Ａ３が伝播情報としてのＳＶＭを近距離無線通信の範囲に送信したところ、点線矢印に示すように、無線通信端末Ａ２，Ａ４及びＡ５が受信したとする。このとき、無線通信端末Ａ２及びＡ４には、既に同じ収集端末から同じ発信機会に発信された伝播情報を受信しており、そのときに伝送方向側端末情報を記憶している。この場合には、新たな伝播情報に基づく新たな伝送方向側端末情報は記憶しない。
【００３５】
一方で、ＳＶＭ送受信部１３は、既に記憶されている伝送方向側端末情報を記憶したときの伝播情報を発信した収集端末から、新たに発信され伝搬された伝播情報としてのＳＶＭを受信した場合には、伝送方向側端末情報を更新して記憶する。具体的に、ＳＶＭ送受信部１３は、既に記憶されている伝送方向側端末情報に関連付けられた収集端末と同じ収集端末から伝搬された新たな伝播情報としてのＳＶＭを受信した場合には、記憶している発信機会情報と、受信したＳＶＭに含まれる発信機会情報と、を比較する。比較の結果、新たに受信したＳＶＭに含まれる発信機会情報が、既に記憶している発信機会情報よりも時間的に後の機会のものである場合には、新たに受信したＳＶＭの送信元となる無線通信端末を新たな伝送方向側端末とする。そして、新たな伝送方向側端末の伝送方向側端末情報を、既に記憶されていた情報に変えて、更新して記憶する。
【００３６】
次に、ＳＶＭ送受信部１３とデータ送受信部１４が、恊働して、データ送受信部として機能する場合について説明する。ＳＶＭ送受信部１３は、データ記憶部１２に記憶されるデータが発生したことを契機に、データ記憶部１２に記憶されているデータのリストであるサマリーベクターを含むメッセージであるＳＶＭを、近距離無線通信部１０を介して近距離無線通信の範囲に送信する。また、近距離無線通信の範囲に位置する他の無線通信端末Ｂから送信されたＳＶＭを受信する。つまり、近距離無線通信の範囲に位置する他の無線通信端末Ｂと相互に近距離無線通信を行い、ＳＶＭの交換を行う。そして、ＳＶＭ送受信部１３は、交換したＳＶＭやＳＶＭ送受信状況を、データ送受信部１４に通知する。なお、ＳＶＭ送受信部１３は、周期的や設定されたタイミング、あるいは、任意のタイミングで、上述したＳＶＭの交換を開始してもよい。
【００３７】
なお、ＳＶＭ送受信部１３は、その後もあらゆるタイミングで、ＳＶＭの交換を行う。例えば、データ送受信部１４でデータの送受信が行われたときや、データ記憶部１２内のデータが更新されたとき、さらには、起動状態である間は一定の間隔で、他の無線通信端末と近距離無線通信にてＳＶＭの交換を行う。
【００３８】
上記データ送受信部１４は、上述したＳＶＭ送受信部１３にて行われたＳＶＭの交換結果に基づいて、つまり、自端末ＡのＳＶＭと他の無線通信端末ＢからのＳＶＭとを比較して、データ記憶部１２に記憶されているデータの送受信を行うか否かを判断する。このとき、データ送受信部１４は、近距離無線通信の範囲内の他の無線通信端末のうち、自端末Ａの伝送方向側端末記憶部２２に記憶されている伝送方向側端末情報に対応する無線通信端末Ｂのみに対して、自端末Ａのデータ記憶部１２に記憶されているデータを近距離無線通信にて伝送する。
【００３９】
例えば、データ送受信部１４は、自端末Ａが保有しているが他の端末Ｂが保有していないデータを、当該他の端末Ｂに送信する。このとき、端末Ａのデータ送受信部１４は、他の端末Ｂからのデータ取得要求を必要とせず、エピデミックルーティングのＰｕｓｈ型で、端末Ｂに対してデータを送信する。但し、データ送受信部１４は、端末Ｂからデータ取得の要求を受けてからデータを送信してもよい。
【００４０】
このように、データ送受信部１４は、ＳＶＭの交換の結果、自端末Ａに対して伝送方向側端末として記憶された他の無線通信端末Ｂに対してのみ、自端末Ａに記憶されているデータを送信するため、他の無線通信端末に対してはデータを送信しない。例えば、データ送受信部１４は、エピデミックルーティングのＰｕｌｌ型で他の無線通信端末からデータの要求があった場合であっても、当該他の端末が伝送方向側端末として記憶されていなければ、データを送信しない。
【００４１】
なお、データ送受信部１４は、自端末Ａの伝送方向側端末記憶部２２に複数の伝送方向側端末情報が記憶されている場合には、複数の伝送方向側端末情報にそれぞれ対応する複数の無線通信端末のみに対して、データを伝送する。
【００４２】
ここで、データ伝送の一例を、図９を参照して説明する。まず、符号Ａ３に示す無線通信端末がエピデミックルーティングによりデータ伝送を行う際には、点線矢印に示すように、まず、近距離無線通信の範囲に位置する他の無線通信端末Ａ２，Ａ４及びＡ５にＳＶＭを送信する。そして、無線通信端末Ａ３は、他の無線通信端末Ａ２，Ａ４及びＡ５とＳＶＭを交換するものの、記憶されている伝送方向側端末である無線通信端末Ａ２のみに対して、当該端末Ａ２が保有していないデータを送信することとなる。
【００４３】
なお、上述したＳＶＭ送受信部１３は、近距離無線通信の範囲に位置する他の無線通信端末とＳＶＭの交換の際に、自端末Ａの伝送方向側端末記憶部２２に記憶されている伝送方向側端末情報に対応する無線通信端末Ｂのみと近距離無線通信を行ってもよい。このように、伝送方向側端末ＢとだけＳＶＭの交換を行うことで、データ送受信部１４は、必然的に、伝送方向側端末Ｂだけに、自端末Ａに記憶されているが伝送方向側端末Ｂには記憶されていないデータを送信することができる。
【００４４】
以上のように、無線通信端末Ａが記憶された伝送方向側端末のみに対してデータを中継して伝送していくことで、上述したように設定されたデータ伝送経路に沿って伝送方向側にデータが収集されていき、結果として収集端末にデータが収集されることとなる。
【００４５】
［動作］
次に、上述した無線通信端末の動作を、図４乃至図１１を参照して説明する。図４乃至図８は、データ伝送経路の設定時の動作を説明するための図である。このうち、図７は無線通信端末単体の動作を示すフローチャートであり、図８は無線通信端末間の動作を示すシーケンス図である。図９乃至図１１は、データ伝送時の動作を説明するための図である。このうち、図１０は無線通信端末単体の動作を示すフローチャートであり、図１１は無線通信端末間の動作を示すシーケンス図である。
【００４６】
はじめに、データ伝送経路の設定時の動作を説明する。なお、この例では、図４の斜線に示すように、無線通信端末のうち、予め収集端末Ａ１が設定されている場合を例に挙げて説明する。
【００４７】
まず、無線通信端末である収集端末Ａ１は、自端末が収集端末であることを表す収集端末情報と、発信機会を表す発信機会情報と、を生成する（図８のステップＳ３１）。そして、収集端末Ａ１は、生成した収集端末情報と発信機会情報とを、伝播情報としてのＳＶＭに含めて、近距離無線通信の範囲内に送信する（図８のステップＳ３２）。
【００４８】
そして、図４に示すように、収集端末Ａ１の近距離無線通信の範囲内に位置する無線通信端末Ａ２が、収集端末Ａ１から発信された伝播情報としてのＳＶＭを受信したとする（図７のステップＳ２１：Ｙｅｓ）。すると、無線通信端末Ａ２は、自端末Ａ２の伝送方向側端末記憶部２２に記憶されている情報と、受信したＳＶＭに含まれる収集端末情報や発信機会情報とに基づいて、伝送方向側端末情報を新たに記憶するか判断する（図７のステップＳ２２）。
【００４９】
このとき、無線通信端末Ａ２は、同一の収集端末Ａ１から同一の発信機会に発信され伝播された伝播情報であるＳＶＭに基づく伝送方向側端末情報を記憶している場合には（図７のステップＳ２２：Ｙｅｓ）、新たに伝送方向側端末情報は記憶しない。一方、そうでない場合には、（図７のステップＳ２２：Ｎｏ）、受信した伝播情報としてのＳＶＭを送信してきた無線通信端末Ａ１を伝送方向側端末とし、当該端末の識別情報を伝送方向側端末情報として、自端末Ａ２の伝送方向側端末記憶部２２に記憶する（図７のステップＳ２３、図８のステップＳ３３、図５の点線参照）。
【００５０】
続いて、無線通信端末Ａ２は、上述したように受信した伝播情報としてのＳＶＭを、さらに近距離無線通信の範囲の他の無線通信端末に送信する（図７のステップＳ２４、図８のステップＳ３４及びＳ３５）。そして、図４に示すように、無線通信端末Ａ３及びＡ４が、無線通信端末Ａ２から発信された伝播情報としてのＳＶＭを受信したとする（図７のステップＳ２１：Ｙｅｓ）。すると、無線通信端末Ａ３及びＡ４は、それぞれ自端末Ａ３及びＡ４の伝送方向側端末記憶部２２に記憶されている情報と、受信したＳＶＭに含まれる収集端末情報や発信機会情報とに基づいて、伝送方向側端末情報を新たに記憶するか判断する（図７のステップＳ２２）。
【００５１】
このとき、無線通信端末Ａ３及びＡ４は、それぞれ同一の収集端末Ａ１から同一の発信機会に発信され伝播された伝播情報であるＳＶＭに基づく伝送方向側端末情報を記憶していない（図７のステップＳ２２：Ｎｏ）。このため、受信した伝播情報としてのＳＶＭを送信してきた無線通信端末Ａ２を伝送方向側端末とし、当該端末の識別情報を伝送方向側端末情報として、それぞれ自端末Ａ３及びＡ４の伝送方向側端末記憶部２２に記憶する（図７のステップＳ２３、図８のステップＳ３６及びＳ３７、図５の点線参照）。
【００５２】
続いて、無線通信端末Ａ３は、上述したように受信した伝播情報としてのＳＶＭを、さらに近距離無線通信の範囲の他の無線通信端末に送信する（図７のステップＳ２４、図８のステップＳ３８）。そして、図６の点線矢印に示すように、無線通信端末Ａ２，Ａ４及びＡ５が、無線通信端末Ａ３から発信された伝播情報としてのＳＶＭを受信したとする（図７のステップＳ２１：Ｙｅｓ）。すると、無線通信端末Ａ２，Ａ４及びＡ５は、それぞれ自端末Ａ２，Ａ４及びＡ５の伝送方向側端末記憶部２２に記憶されている情報と、受信したＳＶＭに含まれる収集端末情報や発信機会情報とに基づいて、伝送方向側端末情報を新たに記憶するか判断する（図７のステップＳ２２）。
【００５３】
このとき、無線通信端末Ａ５は、同一の収集端末Ａ１から同一の発信機会に発信され伝播された伝播情報であるＳＶＭに基づく伝送方向側端末情報を記憶していない（図７のステップＳ２２：Ｎｏ）。このため、受信した伝播情報としてのＳＶＭを送信してきた無線通信端末Ａ３を伝送方向側端末とし、当該端末の識別情報を伝送方向側端末情報として、自端末Ａ５の伝送方向側端末記憶部２２に記憶する（図５の点線参照）。
【００５４】
一方で、無線通信端末Ａ４は、既に同一の収集端末Ａ１から同一の発信機会に発信され伝播された伝播情報であるＳＶＭに基づく伝送方向側端末情報（Ａ２）を記憶している（図７のステップＳ２２：Ｎｏ、図５の点線参照）。このため、無線通信端末Ａ４は、新たに伝送方向側端末情報を記憶しない（図８のステップＳ３９）。
【００５５】
以上のように、収集端末Ａ１から発信された伝播情報としてのＳＶＭを無線通信端末間で伝播することで、各無線通信端末は、当該ＳＶＭを直接受信した送信元となる他の無線通信端末を、伝送方向側端末として記憶することとなる。そして、各無線通信端末が記憶した伝送方向側端末をたどった経路、つまり、収集端末Ａ１から伝播情報が伝播された経路とは逆の経路が、データ伝送経路として設定されることとなる。例えば、図５の矢印Ｒ１に示すような端末Ａ５−Ａ３−Ａ２−Ａ１という経路や、矢印Ｒ２に示すような端末Ａ４−Ａ２−Ａ１といった、各無線通信端末から収集端末Ａ１に向かうデータ伝送経路が設定されることとなる。
【００５６】
次に、データ伝送時の動作を説明する。なお、この例では、図５の符号Ｒ１及びＲ２に示すようにデータ伝送経路が設定されていることとする。そして、図９に示すように、無線通信端末Ａ１がデータＸを、無線通信端末Ａ２がデータＹを、それぞれ自端末のデータ記憶装置１２に記憶していることとする。
【００５７】
上述した状況において、図９に示す無線通信端末Ａ３内でデータ記憶部１２に記憶されるデータＺが発生したとする（図１０のステップＳ４１：Ｙｅｓ、図１１のステップＳ５１）。すると、無線通信端末Ａ３は、自端末のデータ記憶部１２に記憶されているデータリストを表すＳＶＭを、近距離無線通信の範囲に位置する他の無線通信端末に送信する（図１０のステップＳ４２）。このとき、近距離無線通信の範囲に無線通信端末Ａ２，Ａ４及びＡ５が位置し、当該各無線通信端末Ａ２，Ａ４及びＡ５は、無線通信端末Ａ３から送信されたＳＶＭを受信する（図９の点線参照、図１１のステップＳ５２，Ｓ５３）。無線通信端末Ａ３からＳＶＭを受けた無線通信端末Ａ２，Ａ４及びＡ５は、それぞれ自端末に記憶しているデータのリストを表すＳＶＭを、無線通信端末Ａ３に送信する（図１１のステップＳ５４及びＳ５５）。このようにして、無線通信端末Ａ３は、各無線通信端末Ａ２，Ａ４及びＡ５とＳＶＭの交換を行うこととなる。
【００５８】
無線通信端末Ａ３は、ＳＶＭの交換を行った各無線通信端末Ａ２，Ａ４及びＡ５のうち、自端末Ａ３の伝送方向側端末記憶部２２に伝送方向側端末情報が記憶されている伝送方向側端末を特定する（図１０のステップＳ４３）。ここでは、図５及び図９に示すように、無線通信端末Ａ２のみが、無線通信端末Ａ３の伝送方向側端末である。
【００５９】
そして、無線通信端末Ａ３は、交換したＳＶＭに基づいて、自端末Ａ３は保有しているが伝送方向側端末である無線通信端末Ａ２は保有していないデータＺを特定し、かかるデータＺを伝送方向側端末である無線通信端末Ａ２のみに送信する（図１０のステップＳ４４、図１１のステップＳ５６）。これにより、無線通信端末Ａ３に記憶されていたデータＺが無線通信端末Ａ２に収集され、当該無線通信端末Ａ２がデータＹ及びＺを記憶した状態となる（図１１のステップＳ５７）。このとき、無線通信端末Ａ３から無線通信端末Ａ４及びＡ５にはデータは送信されず、また、無線通信端末Ａ２から無線通信端末Ａ３にもデータは送信されない。
【００６０】
上述したように無線通信端末Ａ３が保有しているデータＺが無線通信端末Ａ２に記憶されることにより、当該無線通信端末Ａ２が記憶するデータが変化することとなる（図１０のステップＳ４１）。すると、無線通信端末Ａ２は、自端末のデータ記憶部１２に記憶されているデータリストを表すＳＶＭを、近距離無線通信の範囲に位置する他の無線通信端末に送信する（図１０のステップＳ４２）。この時点では、近距離無線通信の範囲に無線通信端末Ａ１が位置し、当該無線通信端末Ａ１は無線通信端末Ａ２から送信されたＳＶＭを受信する（図１１のステップＳ５８）。無線通信端末Ａ２からＳＶＭを受けた無線通信端末Ａ１は、自端末に記憶しているデータのリストを表すＳＶＭを、無線通信端末Ａ２に送信する（図１１のステップＳ５９）。このようにして、無線通信端末Ａ２は、無線通信端末Ａ１とＳＶＭの交換を行うこととなる。
【００６１】
無線通信端末Ａ２は、ＳＶＭの交換を行った無線通信端末Ａ１が、自端末Ａ２の伝送方向側端末記憶部２２に伝送方向側端末情報が記憶されている伝送方向側端末であることを確認する（図１０のステップＳ４３）。そして、無線通信端末Ａ２は、交換したＳＶＭに基づいて、自端末Ａ２は保有しているが伝送方向側端末である無線通信端末Ａ１は保有していないデータＹ及びＺを特定し、かかるデータＹ及びＺを伝送方向側端末である無線通信端末Ａ１のみに送信する（図１０のステップＳ４４、図１１のステップ６０）。これにより、無線通信端末Ａ２に記憶されていたデータＹ及びＺが無線通信端末Ａ１に収集され、当該無線通信端末Ａ１がデータＸ，Ｙ及びＺを記憶した状態となる（図１１のステップＳ６１）。このとき、無線通信端末Ａ２からは、いずれの他の無線通信端末にもデータ伝送されない。
【００６２】
以上のように、各無線通信端末が、記憶された伝送方向側端末のみに対してデータを中継して伝送していくことで、上述したように設定されたデータ伝送経路に沿って伝送方向側にデータが収集されていき、結果として収集端末Ａ１にデータが収集されることとなる。このとき、設定されたデータ伝送経路以外の経路にはデータが伝送されないため、適切に所望の端末にデータを伝送しつつ、ネットワーク内のトラフィック量の増加を抑制することができる。その結果、データ伝送効率の向上を図ることができる。
【００６３】
＜実施形態２＞
次に、本発明の第２の実施形態を、図１２を参照して説明する。図１２は、無線通信端末の構成を示すブロック図である。
【００６４】
本実施形態における無線通信端末Ａは、データ伝送を行うための構成が、上述した実施形態１とは異なる。本実施形態における無線通信端末Ａは、近距離無線通信の範囲に位置する他の無線通信端末Ｂと同時期に起動してデータ伝送を行う、という構成をとる。これにより、無線通信端末Ａ，Ｂの電力消費量を低減しようとするものである。
【００６５】
本実施形態における無線通信端末Ａは、図１２に示すように、上述した実施形態１の構成に加えて、電源制御部１６、時刻同期部１７、を備えている。なお、電源制御部１６、時刻同期部１７は、無線通信端末Ａに装備された演算装置にプログラムが組み込まれることで実現されている。
【００６６】
時刻同期部１７は、無線通信端末Ａの内部時刻を管理しており、当該内部時刻を例えばＧＰＳを用いて設定する。これにより、無線通信端末Ａの内部時刻が、他の端末Ｂに設定された内部時刻と同期される。なお、各端末の時刻の同期は、他の方法を用いて行ってもよい。
【００６７】
電源制御部１６は、上述したデータ送受信部として機能する少なくともＳＶＭ送受信部１３、データ送受信部１４を含む予め設定された起動対象構成の起動状態を制御する起動制御部として機能する。本実施形態では、起動対象構成は、伝送方向側端末のみに対してデータ送信を行って当該データが伝送方向側端末に記憶されたことを確認する処理を実行する構成、及び、自端末が他の無線通信端末からデータを受信して当該データが自端末に記憶されたことを確認する処理を実行する構成、を含むこととする。
【００６８】
具体的に、電源制御部１６は、時刻同期部１７で管理されている内部時刻に基づいて、予め設定された時間が経過すると、起動対象構成をスリープ状態から起動状態となるよう起動する。つまり、電源制御部１６は、周期的に起動対象構成を起動させる。なお、スリープ状態とは、起動状態よりも省電力で作動している状態であったり、あるいは、起動対象構成に対して電源が供給されていない状態を言う。
【００６９】
これにより、同一時刻に設定されている全ての無線通信端末Ａ，Ｂは、同一のタイミングで起動することとなる。そして、その後、上述したように、近距離無線通信可能な端末Ａ，Ｂ同士が、相互に近距離無線通信を行い、ＳＶＭを交換して、データ伝送経路に沿って伝送方向側にデータの伝送を行う。
【００７０】
また、電源制御部１６は、上述したデータ伝送の完了後に、ＳＶＭ送受信部１３やデータ送受信部１４を含む起動対象構成を、スリープ状態（非起動状態）とする。なお、データ伝送の完了は、ＳＶＭ送受信部１３からＳＶＭの交換結果を取得し、伝送方向側端末である特定の端末に、他の端末のデータが全て収集され記憶されていることを確認することによって判断する。但し、データ伝送完了の確認は他の方法で行ってもよい。
【００７１】
以上のように、本発明における無線通信装置や無線通信方法では、移動体である無線通信端末は、周期的に同一のタイミングで起動して、データ伝送経路に沿ってデータの伝送を行う。このため、常時、起動している必要はなく、バッテリーの減少を抑制して省電力化を図ることができる。また、無線通信端末が常に電源オフとなっていることを抑制でき、遠方に位置する収集端末までデータを伝送することができる。ここで、上述した時刻同期部１７は必ずしも装備されている必要はなく、無線通信端末Ａ及びＢで時刻が多少ずれていてもよい。その場合であっても、電源制御部１６により起動対象構成が起動されることで、無線通信端末Ａ及びＢは同時期に起動される。なお、無線通信端末Ａ及びＢでは、データの同期処理が実行されている時間内を同時期として起動対象構成が起動されればよい。
【００７２】
＜実施形態３＞
次に、本発明の第３の実施形態を、図１３を参照して説明する。図１３は、無線通信端末の構成を示すブロック図である。
【００７３】
［構成］
本実施形態における無線通信端末Ａは、データ伝送を行うための構成、つまり、少なくともＳＶＭ送受信部１３やデータ送受信部１４を含む起動対象構成を起動する方法が、上述した実施形態２とは異なる。このため、本実施形態における無線通信端末Ａは、実施形態２のものとほぼ同様の構成を有するものの、電源制御部１６の機能が異なり、かつ、図１３に示すように、新たにデータ管理部１８と起動メッセージ送受信部１９を備えている。このデータ管理部１８及びメッセージ送受信部１９は、無線通信端末Ａに装備された演算装置にプログラムが組み込まれることで実現されている。
【００７４】
データ管理部１８は、データ記憶部１２に記憶されるデータの変化を管理する。具体的には、データ生成部１１にてデータ記憶部１２に記憶されるデータが生成されたことを検出して、データ記憶部１２内のデータに変化が生じたことを電源制御部１６に通知する。
【００７５】
電源制御部１６は、データ管理部１８からデータ記憶部１２内のデータに変化が生じたことの通知を受けると、少なくともＳＶＭ送受信部１３やデータ送受信部１４を含む起動対象構成を起動する。このとき、電源制御部１６は、自端末Ａの起動対象構成だけでなく、近距離無線通信の範囲に位置する他の無線通信端末Ｂの起動対象構成もほぼ同一のタイミングつまり同時期に起動するよう制御する。具体的に、電源制御部１６は、起動メッセージ送受信部１９を介して、起動を指示する信号であるWakeupメッセージを近距離無線通信範囲内の他の無線通信端末Ｂに送信する。このとき、Wakeupメッセージは、ブロードキャストで送信するが、いかなる方法で送信してもよい。
【００７６】
一方で、起動メッセージ送受信部１９は、常に他の無線通信端末ＢからWakeupメッセージを受信可能なよう構成されている。起動メッセージ送受信部１９は、他の端末ＢからWakeupメッセージを受信すると、電源制御部１６に通知し、当該電源制御部１６は自端末Ａの起動対象構成を起動させる。
【００７７】
このように、本実施形態では、ある無線通信端末に記憶されたデータの変化を契機に、近距離無線通信の範囲内に位置する全ての無線通信端末が起動することとなる。そして、その後、上述したように、近距離無線通信可能な端末Ａ及びＢ同士が、相互に近距離無線通信を行い、ＳＶＭを交換して、データ伝送経路に沿って伝送方向側にデータの伝送を行う。
【００７８】
なお、かかる構成を実現するためには、データの送信側となる無線通信端末では、データの変化の検出とWakeupメッセージの検出が必要となるため、電源制御部１６、データ管理部１８、起動メッセージ送受信部１９は、常に起動した状態であり、これらの構成は起動対象構成に含まれないこととする。但し、受信側の無線通信端末では、データ管理部１８は常に起動している必要はなく、当該データ管理部１８は起動対象構成に含まれてもよい。
【００７９】
また、電源制御部１６は、上述したデータ伝送の完了後に、ＳＶＭ送受信部１３やデータ送受信部１４を含む起動対象構成を、スリープ状態（非起動状態）とする。なお、データ伝送の完了は、ＳＶＭ送受信部１３からＳＶＭの交換結果を取得し、伝送方向側端末である特定の端末に、他の端末のデータが全て記憶されていることを確認することによって判断する。但し、データ伝送完了の確認は他の方法で行ってもよい。
【００８０】
＜実施形態４＞
次に、本発明の第４の実施形態を、図１４を参照して説明する。図１４は、本実施形態における無線通信端末の構成及び動作を示す図である。
【００８１】
本実施形態における無線通信端末Ａ１−Ａ６は、それぞれ上述した実施形態で説明したものと同一の構成を備えている。そして、各無線通信端末Ａ１−Ａ６は、それぞれ車両Ｃ１−Ｃ６に搭載されている。なお、各無線通信端末Ａ１−Ａ６と各車両Ｃ１−Ｃ６は、それぞれ同一の構成を有していることとするが、異なる構成であってもよい。
【００８２】
上述した状況における無線通信端末Ａ１に装備された各構成は、特に以下の機能を有する。まず、データ生成部１１は、車両Ｃ１の状況を表すデータを収集あるいは生成して、データ記憶部１２に記憶する。例えば、データ生成部１１で生成されるデータは、車両Ｃ１に装備されたＧＰＳで取得した位置情報に基づく移動履歴や、車両Ｃ１のエンジンの使用状況（回転数など）、走行距離などの情報である。
【００８３】
また、無線通信端末Ａ１のデータ伝送を実行する構成であるＳＶＭ送受信部１３やデータ送受信部１４、さらには、実施形態２及び３で説明した電源制御部１６は、車両Ｃ１の状態に関わらず作動するよう構成されている。例えば、車両Ｃ１のエンジンが停止している場合であっても、上記実施形態１−３で説明したように、常に作動していたり、一定周期やデータ発生を契機に、作動するよう構成されている。
【００８４】
上述したように、本発明における無線通信端末Ａ１を車両Ｃ１に搭載することで、移動している車両に搭載された無線通信端末間で、データを蓄積しながら近距離無線通信にて中継伝送することができる。このため、近距離無線通信の範囲外に位置する遠く離れた車両の端末にもデータを伝送可能となり、特定の車両に搭載された収集端末でデータを収集することができる。例えば、図１４の矢印に示すように、近距離無線通信では直接通信することが不可能な車両間であっても、車両Ｃ１−Ｃ４のデータを車両Ｃ６に収集することができる。そして、特に、設定されたデータ伝送経路に沿ってデータが伝送されるため、適切に所望の端末にデータを伝送しつつ、ネットワーク内のトラフィック量の増加を抑制することができる。その結果、データ伝送効率の向上を図ることができる。
【００８５】
＜付記＞
上記実施形態の一部又は全部は、以下の付記のようにも記載されうる。以下、本発明における無線通信端末（図１５参照）、プログラム、情報処理方法の構成の概略を説明する。但し、本発明は、以下の構成に限定されない。
【００８６】
（付記１）
近距離無線通信の範囲内で他の無線通信端末と相互に近距離無線通信を行う近距離無線通信部１０１と、
所定のデータを記憶するデータ記憶部１０２と、
前記データ記憶部に記憶されたデータを他の無線通信端末と近距離無線通信により送受信するデータ送受信部１０３と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部１０４と、を備え、
前記データ送受信部１０３は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
無線通信端末１００。
【００８７】
上記構成の発明によると、まず、無線通信端末は、近距離無線通信の範囲に他の無線通信端末が位置することとなると、当該他の無線通信端末と近距離無線通信を行う。そして、無線通信端末は、近距離無線通信にて他の無線通信端末とデータの送受信を行う。そして、データを送受信した他の無線通信端末も、近距離無線通信によりさらに別の無線通信端末とデータを送受信することで、遠方に位置する無線通信端末に対してもデータを伝播させることができる。
【００８８】
ここで、無線通信端末は、予め設定された経路上において、データ伝送方向に自端末と隣接して位置する他の無線通信端末となる伝送方向側無線通信端末を特定する伝送方向側端末特定情報を記憶している。このため、無線通信端末は、近距離無線通信の範囲に他の無線通信端末が位置したときに、伝送方向側端末特定情報で特定される経路上の伝送方向側無線通信端末のみに対してデータを伝送する。つまり、無線通信端末は、近距離無線通信の範囲内に位置する経路上の伝送方向側無線通信端末ではない他の無線通信端末には、データ伝送を行わない。
【００８９】
これにより、無線通信端末によるデータ伝送の際に無駄なデータ伝送を抑制し、経路上においてデータ伝送方向側の端末に対して適切にデータ伝送を行うことができる。その結果、無線通信ネットワーク内のトラフィック量を抑制して所望の端末にデータを集約することができ、データ伝送効率の向上を図ることができる。
【００９０】
（付記２）
付記１に記載の無線通信端末であって、
前記データ送受信部は、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
無線通信端末。
【００９１】
（付記３）
付記２に記載の無線通信端末であって、
前記データ送受信部は、近距離無線通信の範囲内の前記伝送方向側無線通信端末のみと相互に無線通信して、自端末の前記データ記憶部に記憶されているデータのリストと前記伝送方向側無線通信端末に記憶されているデータのリストとを送受信して比較し、前記リストに基づいて自端末の前記データ記憶部に記憶されているデータのうち前記伝送方向側無線通信端末に記憶されていないデータを、当該伝送方向側無線通信端末に伝送する、
無線通信端末。
【００９２】
（付記４）
付記１乃至３のいずれかに記載の無線通信端末であって、
前記データ送受信部は、エピデミックルーティングによりデータ伝送を行う際に、前記伝送方向側無線通信端末のみに対して自端末の前記データ記憶部に記憶されているデータを近距離無線通信にて伝送する、
無線通信端末。
【００９３】
上記構成の発明によると、無線通信端末は、伝送方向側無線通信端末に記憶されていないデータのみを自端末から伝送することで、よりネットワーク内のトラフィック量を低減することができる。また、無線通信端末は、例えば、エピデミックルーティングなどの方法によるデータ伝送の際に、伝送方向側無線通信端末のみとデータのリストを送受信してデータ伝送を行うことで、さらにネットワーク内のトラフィック量を低減することができる。
【００９４】
（付記５）
付記１乃至４のいずれかに記載の無線通信端末であって、
特定の無線通信端末から発信され伝播された伝播情報を近距離無線通信の範囲内の他の無線通信端末から受信したときに、当該他の無線通信端末を、前記経路上において自端末のデータ伝送方向側に隣接して位置する前記伝送方向側無線通信端末として特定し、当該伝送方向側無線通信端末を特定する情報である前記伝送方向側端末特定情報を前記端末特定情報記憶部に記憶する端末特定情報処理部を備えた、
無線通信端末。
【００９５】
上記構成の発明によると、無線通信端末は、特定の無線通信端末から発信され伝播された伝播情報を近距離無線通信の範囲内の他の無線通信端末から受信したときに、当該他の無線通信端末を、上述した伝送方向側無線通信端末として特定する。これにより、特定の無線通信端末からの伝播情報の伝播経路とは逆の経路上にのみ、無線通信端末から特定の無線通信端末に向かってデータが伝送され、収集されることとなる。その結果、無線通信ネットワーク内のトラフィック量を抑制して所望の端末にデータを集約することができ、データ伝送効率の向上を図ることができる。
【００９６】
（付記６）
付記５に記載の無線通信端末であって、
前記端末特定情報処理部は、前記特定の無線通信端末から伝播された前記伝播情報を、近距離無線通信の範囲内の複数の他の無線通信端末から受信したときに、当該複数の他の無線通信端末のうち１つの他の無線通信端末のみを前記伝送方向側無線通信端末として特定し、当該伝送方向側無線通信端末を特定する前記伝送方向側端末特定情報を前記端末特定情報記憶部に記憶する、
無線通信端末。
【００９７】
（付記７）
付記５に記載の無線通信端末であって、
前記端末特定情報処理部は、前記特定の無線通信端末から同一の機会に発信されて伝播された前記伝播情報を、近距離無線通信の範囲内の複数の他の無線通信端末から受信したときに、当該複数の他の無線通信端末のうち予め設定された基準に基づいて決定された１つの他の無線通信端末のみを前記伝送方向側無線通信端末として特定し、当該伝送方向側無線通信端末を特定する前記伝送方向側端末特定情報を前記端末特定情報記憶部に記憶する、
無線通信端末。
【００９８】
（付記８）
付記７に記載の無線通信端末であって、
前記端末特定情報処理部は、受信した前記伝播情報が、前記端末特定情報記憶部に記憶されている前記伝送方向側端末特定情報を記憶する契機となった前記伝播情報の発信機会よりも後の機会に前記特定の無線通信端末から発信されて伝播された伝播情報である場合に、当該伝播情報を受信した他の無線通信端末を前記伝送方向側無線通信端末として特定し、当該伝送方向側無線通信端末を特定する前記伝送方向側端末特定情報を前記端末特定情報記憶部に更新して記憶する、
無線通信端末。
【００９９】
（付記９）
付記５乃至８のいずれかに記載の無線通信端末であって、
前記端末特定情報受信部は、前記特定の無線通信端末から伝播された前記伝播情報を近距離無線通信の範囲内の他の無線通信端末から受信したときに、当該伝播情報を当該近距離無線通信の範囲内のさらに他の無線通信端末にエピデミックルーティングにより伝播するよう送信する、
無線通信端末。
【０１００】
上記構成の発明によると、無線通信端末は、特定の無線通信端末から発信され伝播された伝播情報を様々な経路により複数の他の無線通信端末から受信した場合であっても、伝送方向側無線通信端末を１つに特定する。これにより、無線通信端末から特定の無線通信端末に向かってデータを伝送する経路が１つに特定されることとなり、ネットワーク内のトラフィック量を抑制して、データ伝送効率の向上を図ることができる。
【０１０１】
また、特定の無線通信端末から伝播情報が複数回発信された場合であっても、無線通信端末は、最新の伝播情報を受信した他の無線通信端末を伝送方向側無線通信端末として特定する。これにより、無線通信端末間の位置関係に応じて、無線通信端末から特定の無線通信端末に向かってデータを伝送する経路が更新され、さらにデータ伝送効率の向上を図ることができる。
【０１０２】
（付記１０）
付記１乃至９のいずれかに記載の無線通信端末であって、
少なくとも前記データ送受信部を含む起動対象構成を、他の無線通信端末に装備された前記起動対象構成の起動と同時期に起動してデータ送受信を行うよう作動させる起動制御部を備えた、
無線通信端末。
【０１０３】
上記構成の発明によると、無線通信端末は、他の無線通信端末と同時期に起動してデータの伝送を行うことができる。このため、常時、起動している必要はなく、バッテリーの減少を抑制して省電力化を図ることができる。
【０１０４】
（付記１０−１）
付記１０に記載の無線通信端末であって、
前記起動制御部は、予め設定された周期で前記起動対象構成を起動する、
無線通信端末。
【０１０５】
（付記１０−３）
付記１０−２に記載の無線通信端末であって、
前記起動制御部は、他の無線通信端末と時刻の同期を行うと共に、当該同期された時刻に基づいて予め設定された周期で前記起動対象構成を起動する、
無線通信端末。
【０１０６】
（付記１０−４）
付記１０乃至１０−３のいずれかに記載の無線通信端末であって、
前記起動制御部は、前記データ記憶部に記憶されたデータの変化に応じて、自端末に装備された前記起動対象構成を、他の無線通信端末に装備された前記起動対象構成の起動と同時期に起動する、
無線通信端末。
【０１０７】
（付記１０−５）
付記１０−４に記載の無線通信端末であって、
前記起動制御部は、前記データ記憶部に記憶されたデータに変化が生じると、自端末の前記起動対象構成を起動すると共に、前記無線通信部を介して他の無線通信端末の前記起動対象構成を起動する信号を発信する、
無線通信端末。
【０１０８】
（付記１０−６）
付記１０乃至１０−５のいずれかに記載の無線通信端末であって、
前記起動制御部は、前記データ送受信部にて、近距離無線通信の範囲内の他の無線通信端末と前記データ送受信部によるデータの伝送が完了すると、前記起動対象構成を非起動状態とする、
無線通信端末。
【０１０９】
（付記１０−７）
付記１０乃至１０−６のいずれかに記載の無線通信端末であって、
当該無線通信端末は車両に搭載されており、
前記起動制御部は、前記車両の状態に関わらず作動する、
無線通信端末。
【０１１０】
（付記１１）
付記１乃至１０−７のいずれかに記載の無線通信端末であって、
前記起動対象構成は、他の無線通信端末とデータの送受信を行い、当該送受信されたデータが自端末あるいは他の無線通信端末に記憶されたことを確認する処理を実行する構成を含む、
無線通信端末。
【０１１１】
（付記１２）
付記１乃至１１のいずれかに記載の無線通信端末を搭載した車両。
【０１１２】
上記構成の発明によると、上述した無線通信端末を車両に搭載することで、車両が動き回った場合であっても、ネットワーク内のトラフィック量の増加を抑制しつつ、特定の車両にデータを収集させることができる。その結果、データ伝送効率の向上を図ることができる。
【０１１３】
（付記１３）
近距離無線通信の範囲内で他の無線通信端末と相互に近距離無線通信を行う近距離無線通信部と、所定のデータを記憶するデータ記憶部と、を備えた無線通信端末の制御装置に、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を実現させ、
さらに、前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
ことを実現させるためのプログラム。
【０１１４】
（付記１４）
付記１３に記載のプログラムであって、
前記データ送受信部は、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
プログラム。
【０１１５】
（付記１５）
付記１３又は１４に記載のプログラムであって、
前記制御装置に、さらに、
特定の無線通信端末から発信され伝播された伝播情報を近距離無線通信の範囲内の他の無線通信端末から受信したときに、当該他の無線通信端末を、前記経路上において自端末のデータ伝送方向に隣接して位置する前記伝送方向側無線通信端末として特定し、当該伝送方向側無線通信端末を特定する情報である前記伝送方向側端末特定情報を前記端末特定情報記憶部に記憶する端末特定情報処理部、
を実現させるためのプログラム。
【０１１６】
（付記１６）
近距離無線通信の範囲内で他の無線通信端末と相互に近距離無線通信を行う近距離無線通信部と、所定のデータを記憶するデータ記憶部と、を備えた無線通信端末が、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶しており、
前記無線通信端末が、前記データ記憶部に記憶されたデータを他の無線通信端末と近距離無線通信により送受信するよう構成されており、
さらに、前記無線通信端末が、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送する、
情報処理方法。
【０１１７】
（付記１７）
付記１６に記載の情報処理方法であって、
前記無線通信端末が、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
情報処理方法。
【０１１８】
（付記１８）
付記１６又は１７に記載の情報処理方法であって、
前記無線通信端末が、特定の無線通信端末から発信され伝播された伝播情報を近距離無線通信の範囲内の他の無線通信端末から受信したときに、当該他の無線通信端末を、前記経路上において自端末のデータ伝送方向に隣接して位置する前記伝送方向側無線通信端末として特定し、当該伝送方向側無線通信端末を特定する情報である前記伝送方向側端末特定情報を前記端末特定情報記憶部に記憶する、
情報処理方法。
【０１１９】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１２０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【０１２１】
なお、本発明は、日本国にて２０１４年１１月２８日に特許出願された特願２０１４−２４１９４７の特許出願に基づく優先権主張の利益を享受するものであり、当該特許出願に記載された内容は、全て本明細書に含まれるものとする。
【符号の説明】
【０１２２】
Ａ，Ａ１−Ａ６，Ｂ  無線通信端末
Ｃ１−Ｃ６  車両
１０  近距離無線通信部
１１  データ生成部
１２  データ記憶部
１３  ＳＶＭ送受信部
１４  データ送受信部
１６  電源制御部
１７  時刻同期部
１８  データ管理部
１９  起動メッセージ送受信部
２１  収集端末情報生成部
２２  伝送方向側端末記憶部
１００  無線通信端末
１０１  近距離無線通信部
１０２  データ記憶部
１０３  データ送受信部
１０４  端末特定情報記憶部
【図１】
2016084276.tif 000003
【図２】
2016084276.tif 000004
【図３】
2016084276.tif 000005
【図４】
2016084276.tif 000006
【図５】
2016084276.tif 000007
【図６】
2016084276.tif 000008
【図７】
2016084276.tif 000009
【図８】
2016084276.tif 000010
【図９】
2016084276.tif 000011
【図１０】
2016084276.tif 000012
【図１１】
2016084276.tif 000013
【図１２】
2016084276.tif 000014
【図１３】
2016084276.tif 000015
【図１４】
2016084276.tif 000016
【図１５】
2016084276.tif 000017
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を備え、
前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
無線通信端末。
【請求項２】
請求項１に記載の無線通信端末であって、
前記データ送受信部は、近距離無線通信の範囲内の前記伝送方向側無線通信端末と相互に無線通信して、自端末の前記データ記憶部に記憶されているデータのうち前記伝送方向側無線通信端末に記憶されていないデータを、当該伝送方向側無線通信端末に伝送する、
無線通信端末。
【請求項３】
請求項２に記載の無線通信端末であって、
前記データ送受信部は、近距離無線通信の範囲内の前記伝送方向側無線通信端末のみと相互に無線通信して、自端末の前記データ記憶部に記憶されているデータのリストと前記伝送方向側無線通信端末に記憶されているデータのリストとを送受信して比較し、前記リストに基づいて自端末の前記データ記憶部に記憶されているデータのうち前記伝送方向側無線通信端末に記憶されていないデータを、当該伝送方向側無線通信端末に伝送する、
無線通信端末。
【請求項４】
請求項１乃至３のいずれかに記載の無線通信端末であって、
特定の無線通信端末から発信され伝播された伝播情報を近距離無線通信の範囲内の他の無線通信端末から受信したときに、当該他の無線通信端末を、前記経路上において自端末のデータ伝送方向側に隣接して位置する前記伝送方向側無線通信端末として特定し、当該伝送方向側無線通信端末を特定する情報である前記伝送方向側端末特定情報を前記端末特定情報記憶部に記憶する端末特定情報処理部を備えた、
無線通信端末。
【請求項５】
請求項４に記載の無線通信端末であって、
前記端末特定情報処理部は、前記特定の無線通信端末から同一の機会に発信されて伝播された前記伝播情報を、近距離無線通信の範囲内の複数の他の無線通信端末から受信したときに、当該複数の他の無線通信端末のうち予め設定された基準に基づいて決定された１つの他の無線通信端末のみを前記伝送方向側無線通信端末として特定し、当該伝送方向側無線通信端末を特定する前記伝送方向側端末特定情報を前記端末特定情報記憶部に記憶する、
無線通信端末。
【請求項６】
請求項５に記載の無線通信端末であって、
前記端末特定情報処理部は、受信した前記伝播情報が、前記端末特定情報記憶部に記憶されている前記伝送方向側端末特定情報を記憶する契機となった前記伝播情報の発信機会よりも後の機会に前記特定の無線通信端末から発信されて伝播された伝播情報である場合に、当該伝播情報を受信した他の無線通信端末を前記伝送方向側無線通信端末として特定し、当該伝送方向側無線通信端末を特定する前記伝送方向側端末特定情報を前記端末特定情報記憶部に更新して記憶する、
無線通信端末。
【請求項７】
請求項４乃至６のいずれかに記載の無線通信端末であって、
前記端末特定情報受信部は、前記特定の無線通信端末から伝播された前記伝播情報を近距離無線通信の範囲内の他の無線通信端末から受信したときに、当該伝播情報を当該近距離無線通信の範囲内のさらに他の無線通信端末にエピデミックルーティングにより伝播するよう送信する、
無線通信端末。
【請求項８】
請求項１乃至７のいずれかに記載の無線通信端末であって、
少なくとも前記データ送受信部を含む起動対象構成を、他の無線通信端末に装備された前記起動対象構成の起動と同時期に起動してデータ送受信を行うよう作動させる起動制御部を備えた、
無線通信端末。
【請求項９】
近距離無線通信の範囲内で他の無線通信端末と相互に近距離無線通信を行う近距離無線通信部と、所定のデータを記憶するデータ記憶部と、を備えた無線通信端末が、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶しており、
前記無線通信端末が、前記データ記憶部に記憶されたデータを他の無線通信端末と近距離無線通信により送受信するよう構成されており、
さらに、前記無線通信端末が、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送する、
情報処理方法。
【請求項１０】
近距離無線通信の範囲内で他の無線通信端末と相互に近距離無線通信を行う近距離無線通信部と、所定のデータを記憶するデータ記憶部と、を備えた無線通信端末の制御装置に、
前記データ記憶部に記憶されたデータを他の無線通信端末と近距離無線通信により送受信するデータ送受信部と、
近距離無線通信にて自端末から他の無線通信端末を経由してデータ伝送するよう設定された経路上において、データ伝送方向に自端末と隣接して位置する他の無線通信端末である伝送方向側無線通信端末を特定する情報である伝送方向側端末特定情報を記憶する端末特定情報記憶部と、を実現させ、
さらに、前記データ送受信部は、近距離無線通信の範囲内の他の無線通信端末のうち、前記伝送方向側端末特定情報にて特定される前記伝送方向側無線通信端末のみに対して、自端末の前記データ記憶部に記憶されているデータを近距離無線通信にて伝送すると共に、他の無線通信端末から近距離無線通信にて伝送されたデータを受信して前記データ記憶部に記憶する、
ことを実現させるためのプログラム。
【国際調査報告】
2016084276.tif 000018
2016084276.tif 000019
2016084276.tif 000020
2016084276.tif 000021